(57)【特許請求の範囲】
【請求項１】
病室の入口付近に設置されイラストや写真等で構成される病室の案内を示す画面を表示するための表示ユニット（１０）を有する映像表示器（１）と、病室のベッド付近に設置され前記映像表示器と接続されて患者がナースを呼び出すための呼出ボタン（２ａ、２ｂ）とから構成されるナースコール映像表示装置であって、
前記映像表示器は、表示する情報を予め記録し必要に応じて表示画面の映像信号を出力する画面録画再生ユニット（１５）と、前記映像表示器の前方に立った人体を感知するための人感センサ（１３）と、患者が呼び出していることを示す呼出表示灯（１１ａ、１１ｂ）と、前記呼出表示灯を確認して操作されたとき前記呼出表示灯を消灯させる復旧ボタン（１２）と、録画変更が必要とされる表示画面を選択して前記画面録画再生ユニットに入力し、アナログ映像信号を録画し、選択されて録画されていた前画面を消去する録画操作ボタン（１４）と、前記呼出ボタン、前記人感センサ、前記復旧ボタンが接続され前記呼出表示灯、前記画面録画再生ユニットを制御する制御ユニット（１６）とを有し、
前記映像表示器には、前記録画操作ボタンを操作することによって前記表示画面を変更可能とする画像信号を入力可能な外部の映像機器（３）を接続したことを特徴とするナースコール映像表示装置。
【発明の詳細な説明】
【０００１】
【発明の属する技術分野】
本発明はナースコール映像表示装置に係り、イラストや写真等で構成される病室の案内を示す画面（表示画面）を、外部の映像機器からのアナログ映像信号により変更可能としたナースコール映像表示装置に関する。
【０００２】
【従来の技術および発明が解決しようとする課題】
従来から、ナースセンターに設置されたデータ伝送装置と病室の入口付近に設置された患者情報盤間においてデジタル伝送を行ない、病院にて必要とされる患者の各種情報を液晶表示する特開平１０−１９２３４９号公報掲載のナースコールシステムの情報表示装置が提案されている。
【０００３】
しかしながら、従来例をなすナースコールシステムの情報表示装置において、受信した画面データから患者の各種情報をなす映像信号を再合成するためには、複雑な機能を当該患者情報盤に設ける必要があり回路構成が複雑になる難点があった。
【０００４】
本発明は上述の難点を解消するためになされたもので、イラストや写真等で構成される病室の案内を示す画面（表示画面）を、デジタルカメラやＶＴＲ等からなる外部の映像機器からのアナログ映像信号により変更可能とし、当該映像信号を再合成する手段を不要としたナースコール映像表示装置を提供することを目的とする。
【０００５】
【課題を解決するための手段】
このような目的を達成するため、本発明によるナースコール映像表示装置は、病室の入口付近に設置されイラストや写真等で構成される病室の案内を示す画面を表示するための表示ユニットを有する映像表示器と、病室のベッド付近に設置され映像表示器と接続されて患者がナースを呼び出すための呼出ボタンとから構成されるナースコール映像表示装置であって、映像表示器は、表示する情報を予め記録し必要に応じて表示画面の映像信号を出力する画面録画再生ユニットと、映像表示器の前方に立った人体を感知するための人感センサと、患者が呼び出していることを示す呼出表示灯と、呼出表示灯を確認して操作されたとき呼出表示灯を消灯させる復旧ボタンと、録画変更が必要とされる表示画面を選択して画面録画再生ユニットに入力し、アナログ映像信号を録画し、選択されて録画されていた前画面を消去する録画操作ボタンと、呼出ボタン、人感センサ、復旧ボタンが接続され呼出表示灯、画面録画再生ユニットを制御する制御ユニットとを有し、映像表示器には、録画操作ボタンを操作することによって表示画面を変更可能とする画像信号を入力可能な外部の映像機器を接続したものである。
【０００６】
このようなナースコール映像表示装置によれば、病室の入口付近に設置される映像表示器の前方に立つ人物を人感センサが感知すると、制御ユニットの制御により画面録画再生ユニットに予め録画されていたイラストや写真等で構成される病室の案内を示す画面（表示画面の映像信号）が表示ユニットにて表示される。また、ベッド付近に設置された呼出ボタンが操作されると、制御ユニットの制御により呼出表示灯が点滅され、これを消灯させるためには復旧ボタンを操作する。更に、映像表示器に外部の映像機器を接続し、録画操作ボタンを適宜に操作すると、外部の映像機器からのアナログ映像信号により画面録画再生ユニットに予め録画されていた表示画面の映像信号が変更される。
【０００７】
【発明の実施の形態】
以下、本発明によるナースコール映像表示装置を適用した好ましい形態の一実施例について、図面を参照して説明する。
【０００８】
図１は本発明によるナースコール映像表示装置の一実施例を示す（全体）構成図であり、病室の入口付近に設置されイラストや写真等で構成される当該病室の案内を示す画面（表示画面）を表示するための表示ユニット１０を有する映像表示器１と、病室のベッド付近に設置され当該ベッドを使用する病床の患者がナースを呼出すために操作する呼出ボタン、ここでは２台の呼出ボタン２ａ、２ｂと、映像表示器１をなす表示ユニット１０にて表示される画面（表示画面）を変更させる画像信号（以下、アナログ映像信号と称す）を入力可能なデジタルカメラやＶＴＲ等からなる外部の映像機器３とで構成されている。また、呼出ボタン２ａ、２ｂおよび外部の映像機器３は、呼出伝送ラインＬ1a、Ｌ1bおよび映像伝送ラインＬ2を介して映像表示器１をなす呼出接続端子Ｔ1a、Ｔ1bおよびアナログ接続端子Ｔ2にそれぞれ接続されている。
【０００９】
映像表示器１の筐体面には、上述の表示ユニット１０と、呼出ボタン２ａ、２ｂの操作による患者からの呼出しをナースに報知するために点滅される呼出表示灯１１ａ、１１ｂと、ナースにより点滅が確認された当該呼出表示灯を消灯させるために操作される復旧ボタン１２と、図３の動作説明図に示すように当該映像表示器の前方に立った人体Ｈｕ1を感知するための所定の感知エリアＡ1を有する人感センサ１３とが備えられており、不審者等の第三者の操作が不可能とされる当該映像表示器の内部には、後述する録画操作ボタン１４が備えられている。
【００１０】
図２は図１の映像表示器１の具体的な構成を示すブロック図であり、上述の表示ユニット１０、呼出表示灯１１ａ、１１ｂ、復旧ボタン１２、人感センサ１３、録画操作ボタン１４と、表示ユニット１０に表示させるイラストや写真等で構成される病室の案内を示す画面（表示画面）が予め録画されているとともに、アナログ接続端子Ｔ2に接続された外部の映像機器３からのアナログ映像信号を、録画操作ボタン１４をなす録画起動ボタン１４ａの操作により録画し予め録画されていた前画面を消去させる、同様に外部の映像機器３からのアナログ映像信号を、録画操作ボタン１４をなす画面選択ボタン１４ｂの操作により選択された画面に録画起動ボタン１４ａの操作により録画し選択された前画面を消去させることにより、必要に応じて表示画面の映像信号を表示ユニット１０に出力し表示させる単一または複数の画面（表示画面）を録画可能な画面録画再生ユニット１５と、計時機能を備えたタイマー回路１６ａを有し呼出ボタン２ａ、２ｂおよび当該映像表示器をなす呼出表示灯１１ａ、１１ｂ、復旧ボタン１２、人感センサ１３、画面録画再生ユニット１５を制御する制御ユニット１６とが備えられている。
【００１１】
制御ユニット１６をなす第１、第２の制御入力端子Ｐ1、Ｐ2には、各呼出接続端子Ｔ1a、Ｔ1bに接続される呼出伝送ラインＬ1a、Ｌ1bを介して呼出ボタン２ａ、２ｂがそれぞれ接続されており、第３、第４の制御入力端子Ｐ3、Ｐ4には、復旧ボタン１２、人感センサ１３がそれぞれ接続されている。また、制御ユニット１６をなす第１、第２の制御出力端子Ｐ5、Ｐ6には、呼出表示灯１１ａ、１１ｂがそれぞれ接続されており、第３の制御出力端子Ｐ7には、画面録画再生ユニット１５の第１の制御入力部が接続されている。更に、映像出力部が表示ユニット１０に接続された画面録画再生ユニット１５の映像入力部、第２の制御入力部には、アナログ接続端子Ｔ2に接続される映像伝送ラインＬ2を介して外部の映像機器３、録画起動ボタン１４ａおよび画面選択ボタン１４ｂからなる録画操作ボタン１４がそれぞれ接続されている。
【００１２】
このように構成されたナースコール映像表示装置において、以下、その動作について説明する。
【００１３】
図３の動作説明図に示すように、病室の入口付近に設置された映像表示器１をなす人感センサ１３が感知エリアＡ1内に人物Ｈｕ1が立っていることを検出すると、当該人感センサから出力された人体感知信号Ｓ1が制御ユニット１６をなす第４の制御入力端子Ｐ4に入力され、当該第４の制御入力端子の電圧レベルはLow（以下、Ｌレベルと称す）からHigh（以下、Ｈレベルと称す）となる。これを検出した制御ユニット１６の制御によりタイマー回路１６ａの計時機能が能動とされ、一定時間内において電圧レベルがＬレベルからＨレベルとなる第３の制御出力端子Ｐ7より画面録画再生ユニット１５に再生起動信号Ｓ2が出力される。これにより、画面録画再生ユニット１５に予め録画されていた表示画面の映像信号Ｓ3が表示ユニット１０に出力され、当該表示ユニットにて図３の動作説明図に示すようなイラストや写真等で構成される病室の案内を示す画面（表示画面）が一定時間表示される。また、制御ユニット１６のタイマー回路１６ａにてタイムアップが検出されると、第３の制御出力端子Ｐ7の電圧レベルはＨレベルからＬレベルとなり、画面録画再生ユニット１５は非能動とされることにより、表示ユニット１０への当該表示画面の映像信号の出力は停止され、イラストや写真等で構成される病室の案内を示す画面の表示はオフとなる。
【００１４】
次に、呼出ボタン２ａが設置されたベッドを使用する病床の患者が、ナースを呼出すために当該呼出ボタンを操作すると、映像表示器１をなす呼出接続端子Ｔ1aに接続され直流電圧が重畳されている呼出伝送ラインＬ1aの電圧レベルが電圧降下され、この呼出伝送ラインＬ1aを介して制御ユニット１６をなす第１の制御入力端子Ｐ1に呼出信号Ｓ11aが入力されることにより、当該第１の制御入力端子の電圧レベルはＬレベルからＨレベルとなる。これを検出した制御ユニット１６をなす第１、第２の制御出力端子Ｐ5、Ｐ6の電圧レベルは一定周期でＬ／Ｈレベルを繰り返すことにより、この周期で出力される制御信号Ｓ12a、Ｓ12bにより呼出表示灯１１ａ、１１ｂがそれぞれ点滅される。呼出表示灯１１ａ、１１ｂの点滅により呼出ボタン２ａが設置されたベッドを使用する病床の患者からの呼出しを確認したナースが、当該呼出表示灯を消灯させるために復旧ボタン１２を操作すると、制御ユニット１６をなす第３の制御入力端子Ｐ3に復旧信号Ｓ13が入力され、当該第３の制御入力端子の電圧レベルはＬレベルからＨレベルとなる。これを検出した制御ユニット１６をなす第１、第２の制御出力端子Ｐ5、Ｐ6の電圧レベルは一定周期で繰り返されるＬ／ＨレベルからＬレベルとなり、当該制御信号の出力は停止されることにより、呼出表示灯１１ａ、１１ｂはそれぞれ消灯される。
【００１５】
次に、映像表示器１をなす画面録画再生ユニット１５に予め録画されていた画面（表示画面）、即ち上述の表示画面の映像信号Ｓ3を変更するためには、当該映像表示器をなすアナログ映像端子Ｔ2に映像伝送ラインＬ2を介して外部の映像機器３を接続し、変更後の画面としてのアナログ映像信号を当該外部の映像機器から出力させる。外部の映像機器３から出力されたアナログ映像信号Ｓ21は、映像伝送ラインＬ2、映像表示器１をなすアナログ接続端子Ｔ2を介して画面録画再生ユニット１５に入力される。ここで、画面録画再生ユニット１５が単一の画面（表示画面）のみ録画可能であるならば、録画操作ボタン１４をなす録画起動ボタン１４ａを操作することにより、録画起動信号Ｓ22aが入力された画面録画再生ユニット１５の制御によりアナログ映像信号Ｓ21が録画され、予め録画されていた前画面を示す表示画面の映像信号Ｓ3は消去される。一方、画面録画再生ユニット１５が複数の画面（表示画面）を録画可能であるならば、録画操作ボタン１４をなす画面選択ボタン１４ｂを操作し、画面選択信号Ｓ22bが入力された画面録画再生ユニット１５の制御により録画変更が必要とされる表示画面の映像信号Ｓ3が録画されている画面（表示画面）を予め選択した後において録画起動ボタン１４ａを操作することにより、録画起動信号Ｓ22aが入力された画面録画再生ユニット１５の制御により前述の選択された画面（表示画面）にアナログ映像信号Ｓ21が録画され、選択された前画面を示す表示画面の映像信号Ｓ3は消去される。以上の操作を繰り返すことにより必要な画面（表示画面）を変更することができる。
【００１６】
尚、上述の実施例では、映像表示器に接続される呼出ボタンを２台の当該呼出ボタンとして説明したが、これに限定されず、単一または３台以上の当該呼出ボタンを映像表示器に接続させても上述の実施例と同様な効果を奏する。
【００１７】
【発明の効果】
以上の説明から明らかなように、本発明によるナースコール映像表示装置によれば、イラストや写真等で構成される病室の案内を示す画面（表示画面）は、デジタルカメラやＶＴＲ等からなる外部の映像機器からのアナログ映像信号により変更されることから、当該映像信号を再合成する手段が不要とされる。
【図面の簡単な説明】
【図１】本発明によるナースコール映像表示装置の一実施例を示す（全体）構成図。
【図２】本発明によるナースコール映像表示装置の一実施例をなす映像表示器の具体的な構成を示すブロック図。
【図３】本発明によるナースコール映像表示装置の一実施例の動作状態を示す動作説明図。
【符号の説明】
１・・・・・映像表示器
２ａ、２ｂ・・・・・呼出ボタン
３・・・・・外部の映像機器
１０・・・・・表示ユニット
１１ａ、１１ｂ・・・・・呼出表示灯
１２・・・・・復旧ボタン
１３・・・・・人感センサ
１４・・・・・録画操作ボタン
１５・・・・・画面録画再生ユニット
１６・・・・・制御ユニット
【図１】
0004316738.tif 000002
【図２】
0004316738.tif 000003
【図３】
0004316738.tif 000004